(57)【要約】      （修正有）【課題】使用済カップの回収が容易であり、使用済カップ回収時に使用済カップが散乱せず衛生面に優れ、省スペースに設置可能な使用済カップ回収用具を提供する。【解決手段】使用済カップ回収用具は、回収ボックス１０、回収口１２、カップ回収用袋２を備える。回収口１２には、縦向き姿勢のカップ１個分が挿通可能な内径を有して上方に突出する筒状のホルダー３が取り付けられ、ホルダー３の外周上部には、外方へ張り出した係止片が形成され、カップ回収用袋２は、上端開口部に輪ゴム２４が取り付けられ、該カップ回収用袋２を回収口１２に通して上端開口部を外側に折り返してホルダー３の外周側に配置させて輪ゴム２４をホルダー３の係止片に引っ掛けて保持させ、使用済のカップＣが収容されるとカップ回収用袋２を回収ボックス１０の側方開放部から引っ張ることによりホルダー３から係脱されて外方へ取り出し可能とする。【選択図】図２
0003190080.tif 000002
【実用新案登録請求の範囲】
【請求項１】
上端部を開口した断面逆台形状のカップを使用後に重ねた状態で回収する使用済カップ回収用具であって、
側方が開放可能な回収ボックスと、
回収ボックスの上面に設けられ、使用済のカップを投入する回収口と、
回収口から下方の回収ボックス内に取り替え可能に配置され、回収口に投入された使用済のカップを１列に積み重ね状態にして収容可能な大きさを有する細長いカップ回収用袋とを備え、
上記回収口には、縦向き姿勢のカップ１個分が挿通可能な内径を有して上方に突出する筒状のホルダーが取り付けられ、
上記ホルダーの外周上部には、外方へ張り出した係止片が形成され、
上記カップ回収用袋は、上端開口部に輪ゴムが取り付けられ、該カップ回収用袋を回収口に通して上端開口部を外側に折り返してホルダーの外周側に配置させて輪ゴムをホルダーの係止片に引っ掛けて保持させ、使用済のカップが収容されるとカップ回収用袋を回収ボックスの側方開放部から引っ張ることによりホルダーから係脱されて外方へ取り出し可能に構成した使用済カップ回収用具。
【請求項２】
請求項１に記載の使用済カップ回収用具において、
上記ホルダーの係止片は、外面がＲ状に形成されている使用済カップ回収用具。
【請求項３】
請求項１又は２に記載の使用済カップ回収用具において、
上記ホルダーの内周面は、使用済カップを受け入れる上部が上方へ向かうに従って拡径するテーパ状に形成されている使用済カップ回収用具。
【請求項４】
請求項１〜３のいずれか１項に記載の使用済カップ回収用具において、
上記カップ回収用袋は、少なくとも上端開口部に至る上部が上方へ向かうに従って拡径するテーパ状に形成されている使用済カップ回収用具。
【請求項５】
請求項１〜４のいずれか１項に記載の使用済カップ回収用具において、
上記回収ボックス上面の回収口には、開口周縁部に切欠部が設けられ、
上記ホルダーの外周下部には、外方へ張り出して回収口の開口周縁部上面に当接されるフランジ部が設けられるとともに、フランジ部の下位に上記切欠部よりも小さい大きさを有して外方へ張り出し周方向の片側のフランジ部との間隙を閉じた保持片が設けられ、
上記ホルダーは、回収口の上方から保持片を上記切欠部に配置させてフランジ部を回収口の開口周縁部上面に当接させた状態で該ホルダーを周方向へ回して保持片を開口周縁部下面に配置させることより、保持片とフランジ部との間に回収口の開口周縁部を挟持させて該ホルダーを回収口に着脱自在に取り付けた使用済カップ回収用具。
【考案の詳細な説明】
【技術分野】
【０００１】
本考案は、例えば、検尿用、飲料用等に使用される断面逆台形状のカップを使用後に重ねた状態で回収するための使用済カップ回収用具に関する。
【背景技術】
【０００２】
これまで、この種の使用済のカップは、ゴミ袋を内装したゴミ箱に捨てるようにされていることが多かった。この場合、使用済カップがゴミ箱内にバラバラの姿勢で嵩高く収容されるため、ゴミ箱がすぐに満杯となり頻繁に回収する必要があった。
そこで、従来例として、回収容器の上部に取り付けた蓋部に使用済カップを投入する筒状の導管部を複数設け、使用済カップを重ねた状態で回収容器内の回収用袋に収容させることで、使用済カップの回収量を増加させ、回収作業の回数を減らすようにしたものがある（特許文献１、特許文献２等）。
【先行技術文献】
【特許文献】
【０００３】
【特許文献１】特開２００１−２７０６０２号公報
【特許文献２】特開平６−２９８３０１号公報
【考案の概要】
【考案が解決しようとする課題】
【０００４】
しかしながら、従来例では、回収容器から使用済カップを回収するには、蓋部及び導管部を持ち上げて移動させ、次いで回収容器から使用済カップを収容する回収用袋を取り出し、回収用袋の上端開口部を結び付けて塞ぐ等の作業が必要となり、回収作業が手間であった。しかも、蓋部及び導管部を持ち上げて移動させる際、導管部内に残存した使用済カップが周辺の床に落下し散乱させてしまうことがある。この場合、例えば、病院などで検尿用カップの回収用具として使用される場合には、衛生面や感染面から好ましくない。また、回収容器は、筒状の導管部を配置することから大径で太幅なものとなり、広い設置スペースを必要としていた。
【０００５】
本考案は、以上の事情に鑑みて成されたものであり、使用済カップの回収が容易であり、且つ使用済カップの回収時に使用済カップが散乱することなく衛生面に優れ、しかも省スペースに設置可能な使用済カップ回収用具を提供することを目的とする。
【課題を解決するための手段】
【０００６】
本考案に係る使用済カップ回収用具は、
上端部を開口した断面逆台形状のカップを使用後に重ねた状態で回収する使用済カップ回収用具であって、
側方が開放可能な回収ボックスと、
回収ボックスの上面に設けられ、使用済のカップを投入する回収口と、
回収口から下方の回収ボックス内に取り替え可能に配置され、回収口に投入された使用済のカップを１列に積み重ね状態にして収容可能な大きさを有する細長いカップ回収用袋とを備え、
回収口には、縦向き姿勢のカップ１個分が挿通可能な内径を有して上方に突出する筒状のホルダーが取り付けられ、
ホルダーの外周上部には、外方へ張り出した係止片が形成され、
カップ回収用袋は、上端開口部に輪ゴムが取り付けられ、該カップ回収用袋を回収口に通して上端開口部を外側に折り返してホルダーの外周側に配置させて輪ゴムをホルダーの係止片に引っ掛けて保持させ、使用済のカップが収容されるとカップ回収用袋を回収ボックスの側方開放部から引っ張ることによりホルダーから係脱されて外方へ取り出し可能に構成したものである。
【０００７】
上記構成より、使用済カップがカップ回収用袋内に１列に積み重なった状態で収容されるので、多数の使用済カップを効率よく回収することができ、回収作業の回数を減らすことができる。また、使用済カップの回収は、回収ボックスの側方開放部から使用済カップを収容したカップ回収用袋ごと引っ張って取り出すことで行えるから、回収作業が容易に且つ迅速に行え、手間を要しない。また、回収時、カップ回収用袋がホルダーから係脱されると輪ゴムによって袋の上端開口部が即座に収縮されるから、カップ回収用袋からの使用済カップの脱落が防止され、使用済カップがカップ回収用袋に収容された状態で回収することができる。従って、回収時に使用済カップを散乱させて使用済カップ回収用具の周辺を汚したり回収者が使用済カップを直接触ったりするがなく衛生的な状態を確保することができる。また、回収ボックス内には、細長いカップ回収用袋が配置されるだけであるから、回収用ボックスをスリムな設計とし、使用済カップ回収用具を省スペースに設置することができる。
【０００８】
上記ホルダーの係止片は、外面がＲ状に形成されていることが望ましく、これにより、使用済カップを収容したカップ回収用袋を引っ張って回収する際、ホルダーの係止片に引っ掛けた袋の上端開口部の輪ゴムが円滑に係脱され、該回収作業を円滑に行える。
【０００９】
上記ホルダーの内周面は、使用済カップを受け入れる上部が上方へ向かうに従って拡径するテーパ状に形成されていることが望ましく、これにより、使用済カップの受け入れ口が広くなり、回収口に使用済カップを円滑に投入することができる。
【００１０】
上記カップ回収用袋は、少なくとも上端開口部に至る上部が上方へ向かうに従って拡径するテーパ状に形成されていることが望ましい。
これにより、カップ回収用袋内に導入された使用済カップは、袋上部のテーパ状によって真っ直ぐな縦向き姿勢に矯正されて下方へと落下される。従って、カップ回収袋内では、投下された使用済カップが傾いてその底面が既に収容されている使用済カップの上端部に引っ掛かった状態となることが防止され、下の使用済カップ内に嵌まり込んで積み重ねられるようにすることができる。
【００１１】
上記回収ボックス上面の回収口には、開口周縁部に切欠部が設けられ、
上記ホルダーの外周下部には、外方へ張り出して回収口の開口周縁部上面に当接されるフランジ部が設けられるとともに、フランジ部の下位に上記切欠部よりも小さい大きさを有して外方へ張り出し周方向の片側のフランジ部との間隙を閉じた保持片が設けられ、
上記ホルダーは、回収口の上方から保持片を上記切欠部に配置させてフランジ部を回収口の開口周縁部上面に当接させた状態で該ホルダーを周方向へ回して保持片を開口周縁部下面に配置させることより、保持片とフランジ部との間に回収口の開口周縁部を挟持させて該ホルダーを回収口に着脱自在に取り付けることが望ましい。
これにより、回収口へのホルダーの組み付けや取り外しを簡単に行うことができる。また、カップの外径サイズの変更に対しても、変更後のカップの外径サイズに応じたホルダーに取り替えることで容易に対応することができる。
【考案の効果】
【００１２】
以上のように、本考案に係る使用済カップ回収用具によれば、使用済カップの回収が容易であり、また、使用済カップの回収時に使用済カップが散乱することなく衛生面に優れるという効果が発揮される。また、回収用ボックスをスリム設計とすることができ、例えば、壁沿いや室内のコーナ部等に本使用済カップ回収用具を省スペースに設置することができる。
【図面の簡単な説明】
【００１３】
【図１】実施形態による使用済カップ回収用具を示す斜視図である。
【図２】使用済カップ回収用具の構成を示す断面図である。
【図３】使用済カップ回収用具の回収口付近を示す拡大断面図である。
【図４】回収ボックスの上面に設ける回収口を示す平面図である。
【図５】回収口に取り付けられるホルダーを示す図であり、同図（ａ）は上面図、同図（ｂ）は側面図、同図（ｃ）は底面図である。
【図６】カップ回収用袋を示す図であり、同図（Ａ）の袋は全体的にテーパ状に形成されたものを示す側面図、同図（Ｂ）は袋上部がテーパ状に形成されたものを示す側面図である。
【図７】使用済カップがカップ回収用袋内に１列に積み重ねられ、袋上部が輪ゴムで収縮された状態となって使用済カップ回収用具から回収されたときの状態を示す斜視図である。
【図８】回収ボックス上面の回収口を塞ぐ蓋体を設けた例を示す図であり、同図（Ａ）は上面図、同図（Ｂ）は側面図である。
【考案を実施するための形態】
【００１４】
図１に示すように、実施形態の使用済カップ回収用具１は、上端部Ｃ１を開口した断面逆台形状の円形のカップＣを使用後に重ねた状態にして回収するものであり、例えば、病院等で検尿用に使用されたカップＣの回収用具として利用されるが、これに限らず、飲料用に使用されたカップＣの回収用具として利用することもできる。
【００１５】
図１、図２、図３を参照して、使用済カップ回収用具１は、前面（側方）が開閉扉１１を開けることで開放される回収ボックス１０と、回収ボックス１０の上面に設けられて使用済カップＣを投入する回収口１２と、回収口１２から下方の回収ボックス１０内に取り替え可能に配置されて回収口１２に投入された使用済のカップＣを１列に積み重ね状態にして収容可能な大きさを有する細長いカップ回収用袋２とを備える。
【００１６】
回収ボックス１０は、縦長柱状に形成され、前面に開閉扉１１が取り付けられ、上面に使用済カップＣの回収口１２が設けられている。図１の回収ボックス１０では、背面が左右両側を斜めに形成した六角柱形状とされ、室内の壁のコーナ部に床面から宙に浮かして設置されている。このように回収ボックス１０は、その内部には細長いカップ回収用袋２が配置されるだけであるからスリムな設計とし、使用済カップ回収用具１を省スペースに設置することができる。なお、回収ボックス１０は、四角柱形状等の角柱状や円柱状等に形成してもよく、また、壁の平坦面に取り付けてもよいし、宙に浮かさず床面上に設置するようにしてもよい。また、この回収ボックス１０は、板金で作製されているが、プラスチック製、木製、陶器等の各種の材質で作製されてもよい。
【００１７】
回収口１２は、カップＣの最大外径（カップ上端部Ｃ１の外径）よりも一回り程度大きい口径を有するように回収ボックス１０の上面に円形に開口形成されている（図４も参照）。この回収口１２には、使用済カップＣを導入案内するとともに、カップ回収用袋２を係止保持するための円筒状のホルダー３が着脱可能に取り付けられている。そして、図４に示すように、回収口１２の開口周縁部１３には、ホルダー３を着脱させるための切欠部１４が周方向に等間隔に３つ設けられている。なお、切欠部１４の数は、３つに限らず、１つでもよいし、２つ以上の複数設けることでもよい。
【００１８】
ホルダー３は、図５も参照して、カップＣの最大外径よりも僅かに大きく縦向き姿勢のカップＣの１個分が挿通可能な内径を有する円筒状に形成されている。ホルダー３は、回収口１２から上方へ突出するように回収口１２の開口周縁部１３に取り付けられている。ホルダー３の外周上部には、外方へ張り出した係止片３３が全周にわたって形成されている。この係止片３３には、カップ回収用袋２の上端開口部２１が引っ掛けられる（図３参照）。ホルダー３の外周下部には、外方へ張り出したフランジ部３１が全周にわたって形成されるとともに、フランジ部３１の下位に回収口１２の切欠部１４に嵌まり込む大きさを有して外方へ張り出した保持片３２が周方向に等間隔に３つ形成されている（図５（ｃ）参照）。各保持片３２は、いずれも同じ側となる周方向の片側にはフランジ部３１との間隙を閉じたストッパー部３２ａが形成されている（図５（ｂ）参照）。なお、保持片３２の数は、３つに限らず、切欠部１４の数と同数以下に形成されていればよい。
【００１９】
そして、ホルダー３は、回収口１２の上方から各保持片３２を回収口１２の各切欠部１４に配置させてフランジ部３１を回収口１２の開口周縁部１３の上面に当接させた状態でホルダー３を周方向へ回してストッパー部３２ａが切欠部１４の側端に当たるところで各保持片３２を開口周縁部１３の下面に配置させることにより、各保持片３２とフランジ部３１との間に回収口１２の開口周縁部１３を挟持させて該ホルダー３を回収口１２に着脱自在に取り付けている。これにより、回収口１２へのホルダー３の組み付けや取り外しを簡単に行うことができ、また、カップＣの外径サイズの変更に対しても変更後のカップＣの外径サイズに応じたホルダー３に取り替えることで容易に対応することができる。また、各保持片３２におけるストッパー部３２ａとは反対側の端部３２ｂは、口広となるように薄肉に形成されており（図５（ｂ）参照）、これにより、ホルダー３の取り付け時に、回収口１２の切欠部１４の端部に続く開口周縁部１３を保持片３２とフランジ部３１との間隙に円滑に導入させることができる。なお、ホルダー３の回収口１２への取り付けは、上記した保持片３２や切欠部１４を設けずに、ホルダー３のフランジ部３１を回収口１２の開口周縁部１３にネジ止め等によって着脱自在に取り付けるようにしてもよい。
【００２０】
カップ回収用袋２は、カップＣを１列に積み重ね状態にして収容可能な大きさの範囲で、内径が全長にわたってカップＣの最大外径よりも大径の円筒状に形成されている。このカップ回収用袋２は、樹脂製、紙製等の袋２が使用され、不透明であってもよいが、収容した使用済カップＣが確認できるように透明又は半透明の樹脂製の袋２が好ましい。また、カップ回収用袋２の上端開口部２１には、カップＣの最大外径よりも小径の輪ゴム２４が取り付けられている。輪ゴム２４のカップ回収用袋２への取り付けは、例えば、カップ回収用袋２の上端開口部２１を折り返して袋状としこの袋状部内に輪ゴム２４を通して配置させたり、カップ回収用袋２の上端開口部２１に周方向に複数のループを取り付けて各ループ内に輪ゴム２４を挿通配置させる等して取り付けることができる。このカップ回収用袋２は、回収口１２に通して上端開口部２１を外側に折り返してホルダー３の外周側に配置させて輪ゴム２４をホルダー３の係止片３３に引っ掛けて保持される。
【００２１】
そして、使用済のカップＣは、底面Ｃ２を向けてホルダー３の上端の開口（受入口３４）を通して回収口１２に投入する（図２参照）。すると、使用済のカップＣは、カップ回収用袋２内に投下されて既に収容されている使用済カップＣ内に重ねられ、この袋２内に１列に積み重なった状態で収容される。
【００２２】
ホルダー３の内周面は、使用済カップＣを受け入れる上部が上方へ向かうに従って拡径するテーパ状３５に形成されている（図３参照）。これにより、使用済のカップＣを受け入れる入口（受入口３４）が広くなり、回収口１２に使用済カップＣを円滑に投入することができる。
【００２３】
カップ回収用袋２は、全長にわたって同径のものでもよいが、図６に示すように、底部２２から上端開口部２１へ向かうに従って拡径となったテーパ状２５に形成されているもの（図６（Ａ））、また、上端開口部２１に至る上部が上方へ向かうに従って拡径するテーパ状２５に形成され、このテーパ状２５から底部２２までが同径に形成されたもの（図６（Ｂ））等のように、少なくとも上部が上方へ向かうに従って拡径するテーパ状２５に形成されたものが好ましい。これにより、回収口１２からカップ回収用袋２内に導入された使用済カップＣは、テーパ状２５によって真っ直ぐな縦向き姿勢に矯正されて下方へと落下される。従って、カップ回収用袋２内では、投下された使用済カップＣが傾いてその底面Ｃ２が既に収容されている使用済カップＣの上端部Ｃ１に引っ掛かった状態となることが防止され、下の使用済カップＣ内に嵌まり込んで積み重ねられるようにすることができる。
【００２４】
また、回収ボックス１０の開閉扉１１には、縦方向に延びる透視窓１１ａが設けられているので（図１参照）、カップ回収用袋２が不透明でない限りこの透視窓１１ａを通じて使用済カップＣの収容量を確認することができる。
【００２５】
そして、このカップ回収用袋２が使用済カップＣで満杯となると、回収ボックス１０の開閉扉１１を開けて使用済カップＣが収容されたカップ回収用袋２を引っ張り出すと輪ゴム２４がホルダー３の係止片３３から係脱されて外方へ取り出される。このように、使用済カップＣの回収は、回収ボックス１０の前面開放部（側方開放部）から使用済カップＣを収容したカップ回収用袋２ごと引っ張って取り出すことで行えるから、回収作業が容易に且つ迅速に行え、手間を要しない。また、ホルダー３の係止片３３は、図３及び図５（ｂ）を参照して、外面がＲ状に形成されているので、カップ回収用袋２を引っ張って使用済カップＣを回収する際は、ホルダー３の係止片３３に引っ掛けた袋２の上端開口部２１の輪ゴム２４が円滑に係脱され、回収作業を円滑に行うことができる。
【００２６】
また、図７に示すように、回収時には、カップ回収用袋２がホルダー３から係脱されると輪ゴム２４によって袋２の上端開口部２１が即座に収縮されるから、カップ回収用袋２からの使用済カップＣの脱落が防止される。従って、使用済カップＣがカップ回収用袋２に収容された状態で回収することができ、使用済カップＣを散乱させて使用済カップ回収用具１の周辺を汚したり回収者が使用済カップＣに直接触れることもなく、衛生的な状態を確保することができる。
【００２７】
次いで、新しいカップ回収用袋２を回収ボックス１０内に取り付けるには、回収口１２の下からカップ回収用袋２の上端開口部２１を通してこの上端開口部２１を外側に折り返してホルダー３の外周側に配置させて輪ゴム２４をホルダー３の係止片３３に引っ掛けるだけで完了する。従って、新たなカップ回収用袋２の取り付けも、容易に且つ迅速に行え、手間を要しない。
【００２８】
以上のように、本使用済カップ回収用具１によれば、使用済カップＣの回収作業や新たなカップ回収用袋２の取り付け作業が簡単に且つ迅速に行うことができ、さらには、使用済カップＣの回収時に使用済カップＣが散乱することなく衛生面に優れるという効果が発揮される。
【００２９】
なお、本考案は、上記実施形態のみに限定されず、本考案の要旨の範囲内で種々の変更を施すことが可能である。
例えば、カップは円形のものに限らず、角形のものでもよい。この場合、ホルダーも角筒状に形成すればよい。
また、回収ボックス１０の上面には、ホルダー３ごと回収口１２に蓋をするための蓋体を取り付けるようにすることができる（図８参照）。蓋体は、使用済カップＣの投入時に、例えば、足踏み式のペダルを踏むと開くようにすればよい。この蓋体を設けることで常時は回収口１２が塞がれるから、さらに衛生面を向上することができる。
【００３０】
なお、蓋体を設けた本使用済カップ回収用具１を室内のコーナ部に設置する場合（図１参照）、室内コーナ部の両側の壁に蓋体が当たって蓋体が開けられなくなることがある。
そこで、例えば、９０度に開閉する蓋体では、開くときに壁に当たる左右両端部分を変形可能な構成とする。例えば、図８に示すように、蓋体５は、ホルダー３の上部全体を覆う大きさを有する軟質樹脂等で形成した軟質フタ部５１と、軟質フタ部５１の中心部上部に取り付けられ、硬質樹脂等で形成される略長方形状の取付部５２とを備え、取付部５２の左右両端部分に軟質フタ部５１が露出して配置される構成とする。取付部５２の後端には、蓋体５を略９０度範囲に開閉させるためのリンク機構（不図示）が取り付けられ、このリンク機構は、回収ボックス１０の下部に設置される足踏みペダル部（不図示）と連動される。そして、足踏みペダル部を踏んで蓋体５を開くとき、左右両端部分に配置される軟質フタ部５１が室内コーナ部の両側の壁に当たって変形して蓋体５を略９０度に開くことができる（図８（Ａ）（Ｂ）に鎖線で示す。）。これにより、蓋体５を設けた使用済カップ回収用具１を室内のコーナ部に設置する場合でも、蓋体５を略９０度に開いて回収口１２を開放させることができる。そして、足踏みペダル部から足を外して蓋体５を閉じるとき、軟質フタ部５１は、壁から離れると元の形状に復帰するので、ホルダー３の全体を覆って蓋をすることができる。なお、この蓋体５を閉じた状態では、蓋体５は、ホルダー３上部に軽く載っている程度であるから、使用済カップＣの回収時にカップ回収用袋２を引っ張り出す際には袋２の上端開口部２１が蓋体５を押し上げて取り出すことができる。
【００３１】
また、蓋体の他の例として、回収ボックス１０の上面においてホルダー３の上方を覆って回収口１２を覆い隠すためのシート状のブラインドを設置するようにしてもよい。図示しないが、例えば、ブラインドは、ホルダー３の外周に沿って半円状の線材レールを左右に設け、左右の線材レールの各々に回収口１２を覆い隠す半円状のシートを掛け渡し、且つ、各線材レールには半円状シートを広げる方向（回収口１２を閉じる形態）に付勢するスプリングを挿通するとともに半円状シートを背後へ引き込んで回収口１２を開かせるための引き紐を配置する。また、引き紐は、回収ボックス１０の下部に設置される足踏みペダル部と連動して引き紐を背後に引き込む巻き取り機構が取り付けられる。そして、このブラインドは、足踏みペダル部を踏むと引き紐が引き込まれて左右の半円状シートの各々が背後に引き込まれて回収口１２が開かれる。これによっても、使用済カップ回収用具１を室内のコーナ部に設置する場合でも、左右の壁が障害とならずにブラインドを開いて回収口１２を開放させることができる。そして、足踏みペダル部から足を外して引き紐の引張りを解除すると各線材レールに挿通したスプリングの付勢力によって左右の半円状シートが前方に広げられて元に戻って回収口１２を覆い隠す状態となる。
【符号の説明】
【００３２】
１  使用済カップ回収用具
２  カップ回収用袋
３  ホルダー
１０  回収ボックス
１１  開閉扉
１１ａ  透視窓
１２  回収口
１３  開口周縁部
１４  切欠部
２１  上端開口部
２２  底部
２４  輪ゴム
２５  袋のテーパ
３１  フランジ部
３２  保持片
３２ａ  ストッパー部
３２ｂ  端部
３３  係止片
３４  受入口
３５  ホルダーのテーパ
Ｃ  カップ
Ｃ１  上端部
Ｃ２  底面
【図１】
0003190080.tif 000003
【図２】
0003190080.tif 000004
【図３】
0003190080.tif 000005
【図４】
0003190080.tif 000006
【図５】
0003190080.tif 000007
【図６】
0003190080.tif 000008
【図７】
0003190080.tif 000009
【図８】
0003190080.tif 000010
【手続補正書】
【提出日】平成26年2月14日(2014.2.14)
【手続補正１】
【補正対象書類名】実用新案登録請求の範囲
【補正対象項目名】全文
【補正方法】変更
【補正の内容】
【実用新案登録請求の範囲】
【請求項１】
上端部を開口した断面逆台形状のカップを使用後に重ねた状態で回収する使用済カップ回収用具であって、
側方が開放可能な回収ボックスと、
回収ボックスの上面に設けられ、使用済のカップを投入する回収口と、
回収口から下方の回収ボックス内に取り替え可能に配置され、回収口に投入された使用済のカップを１列に積み重ね状態にして収容可能な大きさを有する細長いカップ回収用袋とを備え、
上記回収口には、縦向き姿勢のカップ１個分が挿通可能な内径を有して上方に突出する筒状のホルダーが取り付けられ、
上記ホルダーの外周上部には、外方へ張り出した係止片が形成され、
上記カップ回収用袋は、上端開口部に輪ゴムが取り付けられ、該カップ回収用袋を回収口に通して上端開口部を外側に折り返してホルダーの外周側に配置させて輪ゴムをホルダーの係止片に引っ掛けて保持させ、使用済のカップが収容されるとカップ回収用袋を回収ボックスの側方開放部から引っ張ることによりホルダーから係脱されて外方へ取り出し可能に構成した使用済カップ回収用具。
【請求項２】
請求項１に記載の使用済カップ回収用具において、
上記ホルダーの係止片は、外面がＲ状に形成されている使用済カップ回収用具。
【請求項３】
請求項１又は２に記載の使用済カップ回収用具において、
上記ホルダーの内周面は、使用済カップを受け入れる上部が上方へ向かうに従って拡径するテーパ状に形成されている使用済カップ回収用具。
【請求項４】
請求項１〜３のいずれか１項に記載の使用済カップ回収用具において、
上記カップ回収用袋は、少なくとも上端開口部に至る上部が上方へ向かうに従って拡径するテーパ状に形成されている使用済カップ回収用具。
【請求項５】
請求項１〜４のいずれか１項に記載の使用済カップ回収用具において、
上記回収ボックス上面の回収口には、開口周縁部に切欠部が設けられ、
上記ホルダーの外周下部には、外方へ張り出して回収口の開口周縁部上面に当接されるフランジ部が設けられるとともに、フランジ部の下位に上記切欠部よりも小さい大きさを有して外方へ張り出し周方向の片側のフランジ部との間隙を閉じた保持片が設けられ、
上記ホルダーは、回収口の上方から保持片を上記切欠部に配置させてフランジ部を回収口の開口周縁部上面に当接させた状態で該ホルダーを周方向へ回して保持片を開口周縁部下面に配置させることより、保持片とフランジ部との間に回収口の開口周縁部を挟持させて該ホルダーを回収口に着脱自在に取り付けた使用済カップ回収用具
【請求項６】
請求項１〜５のいずれか１項に記載の使用済カップ回収用具において、
上記回収ボックスの上面には、ホルダーごと回収口に蓋をするための蓋体が取り付けられ、
上記蓋体は、ホルダーの上部全体を覆う大きさを有する軟質フタ部と、軟質フタ部が左右両端部分に露出して配置されるように軟質フタ部に取り付けられた硬質の取付部とを備え、
上記取付部の後端には、蓋体を略９０度範囲に開閉させるためのリンク機構が取り付けられている使用済カップ回収用具。
【手続補正２】
【補正対象書類名】明細書
【補正対象項目名】００１１
【補正方法】変更
【補正の内容】
【００１１】
上記回収ボックス上面の回収口には、開口周縁部に切欠部が設けられ、
上記ホルダーの外周下部には、外方へ張り出して回収口の開口周縁部上面に当接されるフランジ部が設けられるとともに、フランジ部の下位に上記切欠部よりも小さい大きさを有して外方へ張り出し周方向の片側のフランジ部との間隙を閉じた保持片が設けられ、
上記ホルダーは、回収口の上方から保持片を上記切欠部に配置させてフランジ部を回収口の開口周縁部上面に当接させた状態で該ホルダーを周方向へ回して保持片を開口周縁部下面に配置させることより、保持片とフランジ部との間に回収口の開口周縁部を挟持させて該ホルダーを回収口に着脱自在に取り付けることが望ましい。
これにより、回収口へのホルダーの組み付けや取り外しを簡単に行うことができる。また、カップの外径サイズの変更に対しても、変更後のカップの外径サイズに応じたホルダーに取り替えることで容易に対応することができる。
また、上記回収ボックスの上面には、ホルダーごと回収口に蓋をするための蓋体が取り付けられ、
上記蓋体は、ホルダーの上部全体を覆う大きさを有する軟質フタ部と、軟質フタ部が左右両端部分に露出して配置されるように軟質フタ部に取り付けられた硬質の取付部とを備え、
上記取付部の後端には、蓋体を略９０度範囲に開閉させるためのリンク機構が取り付けられていることが望ましい。
これにより、蓋体を設けることで常時は回収口が塞がれるから、さらに衛生面を向上することができる。また、本使用済カップ回収用具を室内のコーナ部に設置する場合でも、蓋体を開くときは左右両端部分に配置される軟質フタ部が室内コーナ部の両側の壁に当たって変形して蓋体を略９０度に開いて回収口を開放させることができる。